(57)【要約】【課題】特別な操作を行うことなく情報を収集することが可能な情報収集システム及び携帯端末を提供する。【解決手段】携帯端末１２の範囲識別情報受信部６２は、所定の範囲を識別するための範囲識別情報を受信すると携帯端末本体部６０に出力する。携帯端末本体部６０のＣＰＵ７０は、入力された前記範囲識別情報をメモリ７２に記憶すると共に、記憶された前記範囲識別情報と、携帯端末１２を識別するための携帯端末識別情報とを無線ＬＡＮ部６４に出力する。無線ＬＡＮ部６４は、前記範囲識別情報及び前記携帯端末識別情報を無線３２を介して管理センタに送信し、前記管理センタより前記範囲識別情報に対応する範囲内作業情報を受信して携帯端末本体部６０に出力する。ＣＰＵ７０は、入力された前記範囲内作業情報を情報表示部６８に表示させる。【選択図】図２
2006202111.tif 000002
【特許請求の範囲】
【請求項１】
携帯端末と、範囲識別情報発信装置と、管理センタとから構成され、
前記範囲識別情報発信装置は、所定の範囲を識別するための範囲識別情報を前記所定の範囲内で常時又は間欠的に発信し、
前記携帯端末は、前記所定の範囲に入ったとき、前記所定の範囲内にある場合で且つ所定の時間経過したとき、若しくは前記所定の範囲内にある場合で且つ所定の時刻となったときに、受信した前記範囲識別情報と自己の携帯端末識別情報とを前記管理センタに送信し、又は、所定の時刻若しくは時間を計時したときに、計時した時間を示す時間情報と前記携帯端末識別情報とを前記管理センタに送信し、
前記管理センタは、受信した前記範囲識別情報又は前記時間情報と前記携帯端末識別情報とに基づいて、前記所定の範囲内で前記携帯端末の携帯者が実施すべき作業内容を示す範囲内作業情報、又は前記範囲内作業情報に対して割り込むべき割込情報を前記携帯端末に送信する
ことを特徴とする情報収集システム。
【請求項２】
請求項１記載の情報収集システムにおいて、
前記所定の範囲内には、前記携帯者が介護を担当する対象者が居り、
前記対象者には、該対象者を識別する対象者識別情報が付与された対象者識別装置が取り付けられ、
前記携帯端末は、前記範囲識別情報が前記対象者識別情報を読み取る内容であった場合、前記対象者識別装置から対象者識別情報を読み取り、読み取った前記対象者識別情報と前記範囲識別情報とを記憶し、記憶した前記範囲識別情報と前記対象者識別情報と前記携帯端末識別情報とを前記管理センタに各々送信し、
前記管理センタは、受信した前記範囲識別情報、前記対象者識別情報及び前記携帯端末識別情報に基づいて、前記所定の範囲内で前記携帯者が前記対象者に対して実施すべき介護実施内容を含む前記範囲内作業情報を前記携帯端末に送信する
ことを特徴とする情報収集システム。
【請求項３】
請求項１記載の情報収集システムに用いられる携帯端末。
【発明の詳細な説明】
【技術分野】
【０００１】
本発明は、携帯端末が所定の範囲に入った場合、又は前記所定の範囲にある場合に、該携帯端末に対して前記所定の範囲に関する情報提供サービスを行う情報収集システムであって、より詳細には、介護における要介護者、病院における患者等の介護対象者の状態の把握や、あるいは展示会場、博物館等の自動案内サービスに好適な情報収集システムに関する。
【０００２】
また、本発明は、所定の範囲に入った場合、又は前記所定の範囲にある場合に、前記所定の範囲に関する情報提供サービスを受けることが可能な携帯端末であって、より詳細には、介護対象者の状態の把握や、あるいは展示会場、博物館等の自動案内サービスに好適な携帯端末に関する。
【背景技術】
【０００３】
従来より、介護や病院等において、バーコードやＲＦＩＤ（Radio Frequency Identification）タグを備えたリストバンドを介護対象者の手首に予め取り付け、該介護対象者を介護する介護者、あるいは該介護対象者が入院している病院の医療従事者等の介護担当者が、前記バーコードやＲＦＩＤタグに付与された前記介護対象者を識別する識別情報を携帯端末で読み取ることにより、前記介護対象者を特定することが行われている（特許文献１参照）。この場合、前記識別情報の読取作業は、介護や医療行為を行う度に行われている。
【０００４】
【特許文献１】特開２００４−９４３６３号公報
【発明の開示】
【発明が解決しようとする課題】
【０００５】
前述したように、特許文献１の開示内容によれば、介護担当者は介護や医療行為を行う度に携帯端末を用いて介護対象者の識別情報を読み取る必要があるので、該介護担当者の作業負担が増大するという問題がある。
【０００６】
本発明は、上述した問題を解決するためになされたものであり、特別な操作を行うことなく情報を収集することが可能な情報収集システム及び携帯端末を提供することを目的とする。
【０００７】
また、本発明は、特別な操作を行うことなく対象者に対して実施すべき介護実施内容を収集することが可能な情報収集システム及び携帯端末を提供することを目的とする。
【課題を解決するための手段】
【０００８】
本発明に係る情報収集システムは、携帯端末と、範囲識別情報発信装置と、管理センタとから構成され、前記範囲識別情報発信装置は、所定の範囲を識別するための範囲識別情報を前記所定の範囲内で常時又は間欠的に発信し、前記携帯端末は、前記所定の範囲に入ったとき、前記所定の範囲内にある場合で且つ所定の時間経過したとき、若しくは前記所定の範囲内にある場合で且つ所定の時刻となったときに、受信した前記範囲識別情報と自己の携帯端末識別情報とを前記管理センタに送信し、又は、所定の時刻若しくは時間を計時したときに、計時した時間を示す時間情報と前記携帯端末識別情報とを前記管理センタに送信し、前記管理センタは、受信した前記範囲識別情報又は前記時間情報と前記携帯端末識別情報とに基づいて、前記所定の範囲内で前記携帯端末の携帯者が実施すべき作業内容を示す範囲内作業情報、又は前記範囲内作業情報に対して割り込むべき割込情報を前記携帯端末に送信することを特徴とする。
【０００９】
前記範囲識別情報発信装置は、前記範囲識別情報を前記所定の範囲内に常時又は間欠的に発信し、前記携帯端末は、前記所定の範囲内に入ったとき、前記所定の範囲内にある場合で且つ所定の時間経過したとき、若しくは前記所定の範囲内にある場合で且つ所定の時刻となったときに、前記範囲識別情報を自動的に受信した際、受信した前記範囲識別情報と、前記携帯端末識別情報とを前記管理センタに自動的に送信し、又は、所定の時刻若しくは時間を計時したときに前記時間情報と前記携帯端末識別情報とを前記管理センタに自動的に送信し、前記管理センタは、受信した前記範囲識別情報又は前記時間情報と前記携帯端末識別情報とに基づいて、前記範囲内作業情報又は前記割込情報を前記携帯端末に自動的に送信する。従って、前記携帯端末は、前記携帯者が何ら操作することなく前記所定の範囲内に関する前記範囲識別情報や前記範囲内作業情報や前記割込情報を収集することができる。
【００１０】
また、前記携帯端末は、前記所定の範囲に入ったとき、前記所定の範囲内にある場合で且つ所定の時間経過したとき、若しくは前記所定の範囲内にある場合で且つ所定の時刻となったときにのみ、前記所定の範囲内に関する前記範囲識別情報や前記範囲内作業情報や前記割込情報を収集し、又は、所定の時刻若しくは時間を計時したときにのみ、前記割込情報を収集するので、該携帯端末は、前記所定の範囲に関する最新の範囲識別情報や範囲内作業情報や割込情報を取得することが可能となる。
【００１１】
さらに、前記携帯端末から前記管理センタに前記範囲識別情報又は前記時間情報と前記携帯端末識別情報とを送信することにより、該管理センタでは、前記携帯端末識別情報に基づいて、前記携帯端末の移動履歴や動線を得ることが可能になると共に、該携帯端末が経由しなかった場所を特定することも可能となる。
【００１２】
さらにまた、前記携帯端末から前記管理センタに前記範囲識別情報又は前記時間情報や前記携帯端末識別情報が各々送信され、前記管理センタには前記携帯端末に送信した前記範囲内作業情報や前記割込情報が蓄積されているので、これらの情報の全て又は一部を前記管理センタ又は前記携帯端末から他の装置に配信することも可能となる。
【００１３】
ここで、前記所定の範囲内には、前記携帯者が介護を担当する対象者が居り、前記対象者には、該対象者を識別する対象者識別情報が付与された対象者識別装置が取り付けられ、前記携帯端末は、前記範囲識別情報が前記対象者識別情報を読み取る内容であった場合、前記対象者識別装置から対象者識別情報を読み取り、読み取った前記対象者識別情報と前記範囲識別情報とを記憶し、記憶した前記範囲識別情報と前記対象者識別情報と前記携帯端末識別情報とを前記管理センタに各々送信し、前記管理センタは、受信した前記範囲識別情報、前記対象者識別情報及び前記携帯端末識別情報に基づいて、前記所定の範囲内で前記携帯者が前記対象者に対して実施すべき介護実施内容を含む前記範囲内作業情報を前記携帯端末に送信することが好ましい。
【００１４】
この場合、前記携帯端末は、前記範囲識別情報に基づいて、前記対象者識別装置から前記対象者識別情報を読み取り、読み取った前記対象者識別情報と前記範囲識別情報とを各々記憶すると共に、記憶された前記範囲識別情報と前記対象者識別情報と前記携帯端末識別情報とを前記管理センタに各々送信し、前記携帯者が前記対象者に対して実施すべき前記介護実施内容を含む前記範囲内作業情報を該管理センタから取得する。
【００１５】
これにより、前記携帯端末は、無操作で前記対象者識別情報を読み取り、且つ前記範囲内作業情報を収集することができるので、前記携帯者の作業負担を軽減することができる。また、前記携帯端末は前記範囲内作業情報を記憶しないので、該携帯端末は、前記範囲内作業情報をリアルタイムで前記管理センタから取得することができる。従って、前記携帯者は、前記対象者に対して的確な介護行為を実施することができる。
【００１６】
また、本発明に係る携帯端末は、前記情報収集システムに用いられることが好ましい。
【発明の効果】
【００１７】
上述したように、本発明によれば、範囲識別情報発信装置は、範囲識別情報を所定の範囲内に常時又は間欠的に発信し、前記携帯端末は、前記所定の範囲内に入ったとき、前記所定の範囲内にある場合で且つ所定の時間経過したとき、若しくは前記所定の範囲内にある場合で且つ所定の時刻となったときに、受信した前記範囲識別情報と自己の携帯端末識別情報とを前記管理センタに送信し、又は、所定の時刻若しくは時間を計時したときに前記時間情報と前記携帯端末識別情報とを管理センタに自動的に送信し、前記管理センタは、受信した前記範囲識別情報又は前記時間情報と前記携帯端末識別情報とに基づいて、範囲内作業情報又は割込情報を前記携帯端末に自動的に送信する。従って、前記携帯端末は、携帯者が何ら操作することなく前記所定の範囲内に関する前記範囲識別情報や前記範囲内作業情報や前記割込情報を収集することができる。
【００１８】
また、前記携帯端末は、前記所定の範囲に入ったとき、前記所定の範囲内にある場合で且つ所定の時間経過したとき、若しくは前記所定の範囲内にある場合で且つ所定の時刻となったときにのみ、前記所定の範囲内に関する前記範囲識別情報や前記範囲内作業情報や前記割込情報を収集し、又は、所定の時刻若しくは時間を計時したときにのみ、前記割込情報を収集するので、該携帯端末は、前記所定の範囲に関する最新の範囲識別情報や範囲内作業情報や割込情報を取得することが可能となる。
【００１９】
さらに、前記携帯端末から前記管理センタに前記範囲識別情報又は前記時間情報と前記携帯端末識別情報とを送信することにより、該管理センタでは、前記携帯端末識別情報に基づいて、前記携帯端末の移動履歴や動線を得ることが可能になると共に、該携帯端末が経由しなかった場所を特定することも可能となる。
【００２０】
さらにまた、前記携帯端末から前記管理センタに前記範囲識別情報又は前記時間情報と前記携帯端末識別情報とが各々送信され、前記管理センタには前記携帯端末に送信した前記範囲内作業情報や前記割込情報が蓄積されているので、これらの情報の全て又は一部を前記管理センタ又は前記携帯端末から他の装置に配信することも可能となる。
【発明を実施するための最良の形態】
【００２１】
本発明に係る情報収集システム及び携帯端末について、好適な実施の形態を挙げ、添付の図面を参照しながら以下に説明する。
【００２２】
本実施形態に係る情報収集システム１０は、図１に示すように、携帯者が携帯する携帯端末１２と、所定の範囲内に該所定の範囲を識別するための範囲識別情報を発信する範囲識別情報発信装置１４と、前記所定の範囲内で前記携帯者が実施すべき作業内容を示す範囲内作業情報を携帯端末１２に送信する管理センタ１６とから基本的に構成される。
【００２３】
ここで、前記所定の範囲とは、範囲識別情報発信装置１４から発信される前記範囲識別情報を携帯端末１２が受信可能な範囲をいう。
【００２４】
また、前記範囲識別情報とは、前記所定の範囲を識別するための情報であって、例えば、デジタルＩＤ（Identification）の形式で構成され、前記所定の範囲内で携帯端末１２が処理すべき内容が含まれている。この場合、前記範囲識別情報は、携帯端末１２が所定の範囲に入ったとき、又は前記所定の範囲内にある場合において、範囲識別情報発信装置１４から携帯端末１２に常時又は間欠的に送信される。
【００２５】
前述したように、範囲識別情報発信装置１４は、前記所定の範囲内で前記範囲識別情報が携帯端末１２により受信可能な装置であればよく、このような装置としては、例えば、赤外線１８により前記所定の範囲内に前記範囲識別情報を発信する赤外線装置２０、特定小電力による無線又は微弱無線２２により前記所定の範囲内に前記範囲識別情報を発信する無線装置２４、ループアンテナ２６から発生する誘導無線２８により前記所定の範囲内に前記範囲識別情報を発信する誘導無線装置３０、図示しないＧＰＳ衛星、スピーカ、ＲＦＩＤタグ及びＩＣタグがある。なお、誘導無線装置３０の場合、ループアンテナ２６のループ内が前記所定の範囲となる。
【００２６】
携帯端末１２は、携帯電話機、ノート型のパーソナル・コンピュータ、ＰＤＡ（Personal Digital Assistants）のように、どこにでも持ち運びが可能な装置であって、該携帯端末１２が前記所定の範囲に入ったとき、前記所定の範囲内にある場合で且つある時刻から所定の時間経過したとき、前記所定の範囲内にある場合で且つ所定の時刻となったときに、範囲識別情報発信装置１４から発信された前記範囲識別情報を受信すると共に、受信した前記範囲識別情報と、該携帯端末１２を識別する携帯端末識別情報とを無線３２を介して管理センタ１６に送信する。また、携帯端末１２は、前記範囲識別情報を受信できない場合であっても、所定の時刻若しくは時間を計時したときに、計時した時間を示す時間情報と前記携帯端末識別情報とを無線３２を介して管理センタ１６に送信する。なお、前記所定の時間とは、携帯端末１２が範囲識別情報発信装置１４より前記範囲識別情報を最初に受信した時刻から所定時間経過したときの時間間隔をいい、前記所定の時刻とは、何時何分で示される時刻をいう。
【００２７】
ここで、前記携帯端末識別情報とは、携帯端末１２の自己の個別識別番号（端末番号）を示す情報をいう。
【００２８】
この場合、管理センタ１６は、受信した前記範囲識別情報及び前記携帯端末識別情報に基づいて、前記所定の範囲に対応する前記範囲内作業情報を無線３２を介して携帯端末１２に送信する。また、管理センタ１６は、前記範囲識別情報又は前記時間情報と前記携帯端末識別情報とに基づいて、前記範囲内作業情報に対して割り込むべき割込情報を無線３２又は無線４４を介して携帯端末１２に送信する。
【００２９】
管理センタ１６は、携帯端末１２に無線３２を介して接続される無線ＬＡＮ装置３４と、無線ＬＡＮ装置３４にハブ３６を介して接続される情報システムサーバ３８、インターフェース用パーソナルコンピュータ（インターフェース用ＰＣ）４０及び無線装置制御用パーソナルコンピュータ（無線装置制御用ＰＣ）４２と、無線装置制御用ＰＣ４２に接続され且つ携帯端末１２に無線４４を介して接続される無線装置４６とから構成される。
【００３０】
情報システムサーバ３８の図示しないメモリには、前記範囲識別情報に対応する前記範囲内作業情報が記憶されており、情報システムサーバ３８は、携帯端末１２から前記範囲識別情報及び前記携帯端末識別情報が入力された場合、記憶された前記範囲内作業情報をハブ３６、無線ＬＡＮ装置３４及び無線３２を介して携帯端末１２に送信する。
【００３１】
また、情報システムサーバ３８は、インターネット網５０を介して外部装置としての携帯電話機５２、パーソナルコンピュータ（ＰＣ）５４、携帯型情報端末（ＰＤＡ）５６にも接続されている。
【００３２】
この場合、情報システムサーバ３８又は携帯端末１２は、これらの外部装置に前記範囲識別情報、前記携帯端末識別情報及び前記範囲内作業情報を配信可能である。
【００３３】
インターフェース用ＰＣ４０は、インターフェース（Ｉ／Ｆ）５８を介して、外部より前記所定の範囲と異なる場所における前記範囲内作業情報とは無関係の情報を取得する。
【００３４】
この場合、前記所定の範囲と異なる場所における前記範囲内作業情報とは無関係の情報は、例えば、前記異なる場所における温度や、前記携帯者が前記異なる場所で行うべき作業内容や該携帯者の呼び出し（インターフォン）、前記異なる場所で発生した事象（火災等）のような該異なる場所における環境の変化、前記携帯者の詰所にかかってきた該携帯者に対する電話の内容である。そして、インターフェース用ＰＣ４０は、取得したこれらの情報が割込情報となり得るか否かを判断した上で、前記各情報をハブ３６を介して情報システムサーバ３８に割込情報として転送する。
【００３５】
すなわち、インターフェース用ＰＣ４０は、前記各情報を前記範囲内作業情報に対して割り込むべき情報であるか否かを判定し、前記各情報が割り込むべき情報であると判断した場合に割込情報としてハブ３６を介して情報システムサーバ３８に転送すると共に、ハブ３６を介して無線装置制御用ＰＣ４２に、該割込情報があることを携帯端末１２に通知させるための割込指示情報を出力する。無線装置制御用ＰＣ４２は、入力された前記割込指示情報に基づいて、情報システムサーバ３８よりハブ３６を介して前記割込情報の一部又は全部を取得し、取得した前記割込情報の一部又は全部を、前記割込指示情報に基づき、無線装置４６及び無線４４を介して携帯端末１２に送信する。一方、情報システムサーバ３８は、入力された前記割込情報をインターネット網５０を介して携帯電話機５２、ＰＣ５４、ＰＤＡ５６に配信可能である。
【００３６】
図２は、本実施形態に係る携帯端末１２の内部構成を示すブロック図である。
【００３７】
携帯端末１２は、携帯端末本体部６０と、範囲識別情報受信部６２と、無線ＬＡＮ部（情報送受信部）６４と、電源部６６とを備えている。この場合、範囲識別情報受信部６２及び無線ＬＡＮ部６４は、携帯端末本体部６０の付帯装置であり、携帯端末１２に内蔵されていても、外付けであっても構わない。
【００３８】
範囲識別情報受信部６２は、範囲識別情報発信装置１４（図１参照）から発信された範囲識別情報を受信するセンサ部７８と、所定の時間経過又は所定の時刻を計時する時計部８０と、電源部６６の電力供給を制御する電源制御部８２とから構成されている。
【００３９】
センサ部７８は、ＧＰＳ測位計、集音用マイク、誘導無線用アンテナ、微弱無線用アンテナ、赤外線センサ等の複数のセンサから構成され、受信した前記範囲識別情報を携帯端末本体部６０に出力する。なお、センサ部７８は、前記所定の範囲内を前記各センサでスキャンしながら前記範囲識別情報を受信してもよい。
【００４０】
時計部８０は、ある時刻に対する所定の時間の経過又は所定の時刻を計時し、ある時刻に対して所定の時間だけ経過した場合又は所定の時刻を計時した場合において、前記所定の時間経過毎あるいは前記所定の時刻を示す時間情報及び携帯端末識別情報を無線３２を介して管理センタ１６に送信して、情報システムサーバ３８より前記時間情報及び前記携帯端末識別情報に対応する情報を取得するように、携帯端末本体部６０を制御する。
【００４１】
電源部６６は、電池等からなる電源８４と電源制御部８２からの制御によって開閉されるスイッチ８６とから構成されている。この場合、電源部６６は、範囲識別情報受信部６２に電力を常時供給し、電源制御部８２の制御によってスイッチ８６が閉じているときに携帯端末本体部６０及び無線ＬＡＮ部６４に電力を供給する。
【００４２】
すなわち、電源制御部８２は、受信した前記範囲識別情報が、電源部６６から携帯端末本体部６０及び無線ＬＡＮ部６４に電力供給を開始させる内容であった場合、スイッチ８６を閉じるように該スイッチ８６を制御する。これにより、電源８４から携帯端末本体部６０及び無線ＬＡＮ部６４への電力供給が開始され、携帯端末１２の全体が使用可能な状態となる。
【００４３】
一方、電源制御部８２は、受信した前記範囲識別情報が、電源部６６から携帯端末本体部６０及び無線ＬＡＮ部６４への電力供給を停止させる内容であった場合、スイッチ８６を開くように該スイッチ８６を制御する。これにより、電源８４から携帯端末本体部６０及び無線ＬＡＮ部６４への電力供給が停止し、携帯端末１２のうち範囲識別情報受信部６２のみが動作可能な状態となる。
【００４４】
携帯端末本体部６０は、情報表示部６８と、ＣＰＵ（携帯端末制御部）７０と、メモリ（識別情報記憶部）７２と、インターフェース７４を介してＣＰＵに接続されるＲＦＩＤ読取部（対象者識別情報読取部）７６と、操作入力部７５と、音声出力部７７とから構成されている。
【００４５】
ＣＰＵ７０は、センサ部７８から入力された範囲識別情報をメモリ７２に記憶する。
【００４６】
この場合、ＣＰＵ７０は、入力された前記範囲識別情報の内容が、例えば、（１）前記所定の範囲における範囲内作業情報を管理センタ１６より取得する内容である場合、（２）前記所定の範囲内に居る対象者（図示せず）が装着する対象者識別装置のＲＦＩＤタグから前記対象者を識別する対象者識別情報を読み取り、さらに前記所定の範囲における範囲内作業情報を管理センタ１６から取得する内容である場合、（３）前記所定の範囲内で前記携帯者が実施した行為を管理センタ１６に報告する内容である場合、（４）携帯端末１２のメンテナンス会社のホームページアドレスを携帯者に通知させる内容である場合において、下記の処理を行う。
【００４７】
（１）の場合、ＣＰＵ７０は、メモリ７２内に記憶された前記範囲識別情報と、該メモリ７２内に予め記憶された携帯端末１２を識別する携帯端末識別情報とを無線ＬＡＮ部６４に各々出力する。
【００４８】
無線ＬＡＮ部６４は、入力された前記範囲識別情報及び前記携帯端末識別情報をアンテナ８８から無線３２を介して無線ＬＡＮ装置３４（図１参照）に送信し、無線ＬＡＮ装置３４は、受信した前記範囲識別情報及び前記携帯端末識別情報をハブ３６を介して情報システムサーバ３８に出力する。情報システムサーバ３８は、入力された前記範囲識別情報及び前記携帯端末識別情報に対応する範囲内作業情報をハブ３６を介して無線ＬＡＮ装置３４に出力し、無線ＬＡＮ装置３４は、無線３２を介して携帯端末１２に送信する。
【００４９】
携帯端末１２の無線ＬＡＮ部６４は、アンテナ８８を介して受信した前記範囲内作業情報を携帯端末本体部６０に出力し、携帯端末本体部６０のＣＰＵ７０は、入力された前記範囲内作業情報を情報表示部６８に表示させる。これにより、携帯端末１２を携帯する携帯者は、前記所定の範囲内で前記範囲内作業情報に基づく作業を実施することができる。
【００５０】
また、（２）の場合、ＣＰＵ７０は、前記ＲＦＩＤタグからＲＦＩＤ読取部７６を介して前記対象者識別情報を読み取り、読み取った前記対象者識別情報をメモリ７２に記憶する。そして、ＣＰＵ７０は、メモリ７２内に記憶された前記対象者識別情報と前記範囲識別情報と前記携帯端末識別情報とを無線ＬＡＮ部６４に各々出力する。
【００５１】
無線ＬＡＮ部６４は、前述した場合と同様に、入力された前記対象者識別情報、前記範囲識別情報及び前記携帯端末識別情報をアンテナ８８から無線３２を介して無線ＬＡＮ装置３４に送信し、無線ＬＡＮ装置３４は、受信した前記対象者識別情報、前記範囲識別情報及び前記携帯端末識別情報をハブ３６を介して情報システムサーバ３８に出力する。情報システムサーバ３８は、入力された前記対象者識別情報、前記範囲識別情報及び前記携帯端末識別情報に対応する範囲内作業情報をハブ３６を介して無線ＬＡＮ装置３４に出力し、無線ＬＡＮ装置３４は、入力された前記範囲内作業情報を無線３２を介して携帯端末１２に送信する。
【００５２】
携帯端末１２の無線ＬＡＮ部６４は、アンテナ８８を介して受信した前記範囲内作業情報を携帯端末本体部６０に出力し、携帯端末本体部６０のＣＰＵ７０は、入力された前記範囲内作業情報と、メモリ７２内に記憶された前記対象者識別情報とを情報表示部６８に各々表示させる。これにより、携帯端末１２を携帯する携帯者は、情報表示部６８の表示内容に基づいて、前記対象者に対する作業を実施することができる。
【００５３】
さらに、（３）の場合、ＣＰＵ７０は、前記所定の範囲内で前記携帯者が実施すべき行為内容を情報表示部６８に、例えば、項目別で表示させる。携帯端末１２を携帯する携帯者は、情報表示部６８の表示内容に基づいて、前記所定の範囲内で実際に実施できた行為内容を操作入力部７５に入力する。ＣＰＵ７０は、入力された前記行為内容を行為内容情報としてメモリ７２内に記憶された前記対象者識別情報、前記範囲識別情報及び前記携帯端末識別情報と共に無線ＬＡＮ部６４に各々出力する。
【００５４】
無線ＬＡＮ部６４は、前述した各場合と同様に、入力された前記行為内容情報、前記対象者識別情報、前記範囲識別情報及び前記携帯端末識別情報をアンテナ８８から無線３２を介して無線ＬＡＮ装置３４に送信し、無線ＬＡＮ装置３４は、受信した前記行為内容情報、前記対象者識別情報、前記範囲識別情報及び前記携帯端末識別情報をハブ３６を介して情報システムサーバ３８に各々出力する。
【００５５】
さらにまた、（４）の場合、ＣＰＵ７０は、前記範囲識別情報内に含まれる前記メンテナンス会社のホームページアドレスを情報表示部６８に表示させる。前記範囲識別情報内に前記ホームページアドレスが含まれていない場合、ＣＰＵ７０は、無線ＬＡＮ部６４を介して管理センタ１６に前記範囲識別情報及び前記携帯端末識別情報を送信し、該管理センタ１６より前記範囲識別情報に対応する前記ホームページアドレスを取得して、該ホームページアドレスを情報表示部６８に表示させる。
【００５６】
また、ＣＰＵ７０は、前記範囲識別情報が管理センタ１６から割込情報を取得するという内容である場合、メモリ７２内に記憶された前記範囲識別情報と前記携帯端末識別情報とを無線ＬＡＮ部６４に各々出力する。
【００５７】
無線ＬＡＮ部６４は、前述した各場合と同様に、入力された前記範囲識別情報及び前記携帯端末識別情報をアンテナ８８から無線３２を介して無線ＬＡＮ装置３４に送信し、無線ＬＡＮ装置３４は、受信した前記範囲識別情報及び前記携帯端末識別情報をハブ３６を介して情報システムサーバ３８に出力する。
【００５８】
情報システムサーバ３８は、入力された前記範囲識別情報及び前記携帯端末識別情報に基づいて、情報システムサーバ３８内にある携帯端末１２の前記範囲識別情報に対応する割込情報を検索し、検索された割込情報を携帯端末１２に送信すべき割込情報として、ハブ３６を介して無線ＬＡＮ装置３４に出力し、無線ＬＡＮ装置３４は、入力された前記割込情報を無線３２を介して携帯端末１２に送信する。
【００５９】
携帯端末１２の無線ＬＡＮ部６４は、アンテナ８８を介して受信した前記割込情報を携帯端末本体部６０に出力し、携帯端末本体部６０のＣＰＵ７０は、入力された前記割込情報を情報表示部６８に表示させ、前記割込情報をアラーム音として音声出力部７７から出力させる。
【００６０】
また、前記割込情報が前記アラーム音の出力を停止させるという内容である場合、ＣＰＵ７０は、無線装置４６から無線４４又はセンサ部７８を介して受信された前記割込情報を情報表示部６８に表示させ、さらに、音声出力部７７を制御して該音声出力部７７から出力されているアラーム音を停止させる。
【００６１】
従って、上述したように、携帯端末１２より無線３２を介して管理センタ１６に範囲識別情報や携帯端末識別情報が送信された場合、情報システムサーバ３８は、無線ＬＡＮ装置３４及び無線３２を介して割込情報を携帯端末１２に送信し、一方で、外部よりインターフェース５８を介してインターフェース用ＰＣ４０に情報が入力された場合、情報システムサーバ３８は、入力された情報に基づく割込情報を無線装置制御用ＰＣ４２、無線装置４６及び無線４４を介して携帯端末１２に送信する。さらに、情報システムサーバ３８は、携帯端末１２が時計部８０で生成した時間情報と携帯端末識別情報とを、無線３２を介して管理センタ１６に送信したときに、前記時間情報の示す時間又は時刻に対応する割込情報を無線ＬＡＮ装置３４及び無線３２を介して携帯端末１２に送信することも可能である。
【００６２】
なお、前述した情報表示部６８と操作入力部７５とは、これらを一体化させてタッチパネル式としてもよい。
【００６３】
また、前述した情報送受信部は、無線ＬＡＮ部６４に限らず、特定小電力の無線、微弱無線、ブルーツゥース、パケット通信やＰＨＳ（Personal Handy-phone System）等によって管理センタ１６との間で無線による情報の送受信が可能なものであればよい。
【００６４】
さらに、管理センタ１６は、範囲内作業情報及び割込情報を文字形式の情報として携帯端末１２に送信してもよいし、インターネットによるＷｅｂ（World wide web）形式の情報として携帯端末１２に送信してもよい。
【００６５】
本実施形態に係る情報収集システム１０及び携帯端末１２は、基本的には、以上のように構成されるものであり、次に、情報収集システム１０及び携帯端末１２の基本的な処理内容について、図３〜図５のフローチャートを参照しながら説明する。
【００６６】
ここでは、携帯端末１２を携帯する携帯者が前記所定の範囲内に居て、該携帯端末１２が赤外線装置２０、無線装置２４又は誘導無線装置３０から範囲識別情報を受信し、受信した前記範囲識別情報を管理センタ１６に送信して、該管理センタ１６から前記範囲識別情報に対応する範囲内作業情報を取得する場合と、管理センタ１６から割込情報を取得する場合とについて説明する。
【００６７】
先ず、携帯端末１２（図１及び図２参照）は、範囲識別情報受信部６２の時計部８０で現在時刻を計時する（図３のステップＳ１）。
【００６８】
次いで、センサ部７８は、各センサをスキャンさせ（ステップＳ２）、前記所定の範囲内で赤外線１８、無線２２又は誘導無線２８を検知できるか否かを判定する（ステップＳ３）。
【００６９】
ステップＳ３において、センサ部７８は、赤外線１８、無線２２又は誘導無線２８を検知できた場合、範囲識別情報発信装置１４、すなわち、赤外線装置２０、無線装置２４又は誘導無線装置３０から範囲識別情報を取得し（ステップＳ４）、取得した前記範囲識別情報を電源制御部８２に転送する。
【００７０】
電源制御部８２は、転送された前記範囲識別情報が、電源部６６から携帯端末本体部６０及び無線ＬＡＮ部６４への電力供給を開始させる内容であるか否かを判定する（ステップＳ５）。
【００７１】
ステップＳ５において、前記範囲識別情報が、電源部６６から携帯端末本体部６０及び無線ＬＡＮ部６４への電力供給を開始させる内容ではない場合、電源制御部８２は、前記範囲識別情報が、電源部６６から携帯端末本体部６０及び無線ＬＡＮ部６４への電力供給を停止させる内容であるか否かを判定する（ステップＳ６）。
【００７２】
ステップＳ６において、前記範囲識別情報が、電源部６６から携帯端末本体部６０及び無線ＬＡＮ部６４への電力供給を停止させる内容ではない場合、電源制御部８２は、前記範囲識別情報が電源部６６の制御に関する内容ではないものと判断し、前記範囲識別情報を携帯端末本体部６０に出力する。携帯端末本体部６０のＣＰＵ７０は、入力された前記範囲識別情報をメモリ７２に記憶すると共に、前記範囲識別情報が携帯端末１２の内部で処理できる内容（例えば、対象者識別情報の読取処理）であるか否かを判定する（ステップＳ７）。
【００７３】
ステップＳ７において、前記範囲識別情報が携帯端末１２の内部処理でない場合、ＣＰＵ７０は、管理センタ１６から範囲内作業情報及び割込情報を収集して情報表示部６８に表示又は音声出力部７７に出力する処理を実行し（ステップＳ８）、実行後はステップＳ１の処理に戻る。
【００７４】
ステップＳ３において、センサ部７８が前記各センサをスキャンさせても赤外線１８、無線２２又は誘導無線２８を検出できないことで、範囲識別情報発信装置１４が発信する範囲識別情報を携帯端末１２が受信できなかった場合、携帯端末１２は、ステップＳ９の処理に移る。
【００７５】
ステップＳ９において、前記現在時刻から所定の時間経過した場合、携帯端末１２は、センサ部７８から範囲識別情報を受信できなくてもステップＳ５の処理を行う。これは、携帯端末１２が管理センタ１６より定期的に割込情報を取得したり、長時間にわたり携帯端末１２が同じ範囲内にある場合における対応を可能とするためであり、このような処理を行うことにより、携帯端末１２は、範囲識別情報の受信に関わりなく、時計部８０で生成された時間情報を無線３２を介して管理センタ１６に送信することで、該管理センタ１６より割込情報を取得することができる。なお、ステップＳ９において、携帯端末１２は、前記現在時刻から所定の時間経過していない場合、ステップＳ１０の処理を行う。
【００７６】
ステップＳ９において、範囲識別情報発信装置１４が範囲識別情報を所定の時刻に発信することにより、センサ部７８が各センサをスキャンさせても、赤外線１８、無線２２又は誘導無線２８を検出できなかった場合、時計部８０は所定の時刻になったか否かを計時する（ステップＳ１０）。
【００７７】
ステップＳ１０において、前記所定の時刻となった場合、携帯端末１２は、管理センタ１６より定期的に割込情報を取得したり、長時間にわたり携帯端末１２が同じ範囲内にある場合における対応を可能とするために、ステップＳ５以降の処理を行う。一方、前記現在時刻になっていない場合には、ステップＳ１の処理を再度実行する。
【００７８】
ステップＳ５において、前記範囲識別情報が、電源部６６から携帯端末本体部６０及び無線ＬＡＮ部６４への電力供給を開始させる内容であった場合、電源制御部８２は、スイッチ８６が閉じるように該スイッチ８６を制御する。これにより、電源８４から携帯端末本体部６０及び無線ＬＡＮ部６４への電力供給が開始され（ステップＳ１１）、携帯端末１２の全体が使用可能な状態に至る。携帯端末１２は、ステップＳ１１の処理後、ステップＳ１の処理を再度実行する。
【００７９】
ステップＳ６において、前記範囲識別情報が、電源部６６から携帯端末本体部６０及び無線ＬＡＮ部６４への電力供給を停止させる内容であった場合、電源制御部８２は、スイッチ８６が開くように該スイッチ８６を制御する。これにより、電源８４から携帯端末本体部６０及び無線ＬＡＮ部６４への電力供給が停止する（ステップＳ１２）。携帯端末１２は、ステップＳ１２の処理後、ステップＳ１の処理を再度実行する。
【００８０】
ステップＳ７において、前記範囲識別情報が携帯端末１２内で行う処理を示す内容である場合、例えば、ＲＦＩＤ読取部７６を介して対象者識別情報を読み込む場合、あるいは音声出力部７７からアラーム音を出力する場合、ＣＰＵ７０は、前記範囲識別情報に基づいて、ＲＦＩＤ読取部７６を介して前記対象者識別情報を読み込み、読み込んだ前記対象者識別情報をメモリ７２内に記憶させたり、あるいは音声出力部７７からアラーム音を出力させる（ステップＳ１３）。携帯端末１２は、ステップＳ１３の処理後、ステップＳ１の処理を再度行うか、又はステップＳ８の処理を実行する。
【００８１】
図４は、ステップＳ８の処理を詳細に示したフローチャートである。
【００８２】
ステップＳ１４において、ＣＰＵ７０（図２参照）は、メモリ７２内に記憶された範囲識別情報、対象者識別情報及び携帯端末識別情報を無線ＬＡＮ部６４に出力する。無線ＬＡＮ部６４は、入力された前記範囲識別情報、対象者識別情報及び携帯端末識別情報をアンテナ８８から無線３２（図１及び図２参照）を介して無線ＬＡＮ装置３４に送信する（ステップＳ１４）。
【００８３】
無線ＬＡＮ装置３４は、前記範囲識別情報、対象者識別情報及び携帯端末識別情報を受信し（ステップＳ１５）、ハブ３６を介して情報システムサーバ３８に出力する。
【００８４】
情報システムサーバ３８内には、範囲識別情報と範囲内作業情報との対応関係が格納された図示しない情報テーブルが設けられており、該情報システムサーバ３８は、入力された前記範囲識別情報に対応する範囲内作業情報を前記情報テーブル内から検索する（ステップＳ１６）。
【００８５】
次いで、情報システムサーバ３８は、検索された前記範囲内作業情報の情報源が該情報システムサーバ内の情報であるか、又はＷｅｂ上の情報であるかを判定する（ステップＳ１７）。
【００８６】
ステップＳ１７において、前記範囲内作業情報の情報源がＷｅｂ上の情報である場合、情報システムサーバ３８は、Ｗｅｂサーバ等の情報源からインターネット網５０を介して前記範囲内作業情報を収集し（ステップＳ１８）、収集した前記範囲内作業情報をハブ３６を介して無線ＬＡＮ装置３４に出力する。
【００８７】
無線ＬＡＮ装置３４は、入力された前記範囲内作業情報を無線３２を介して携帯端末１２に送信し（ステップＳ１９）、携帯端末１２の無線ＬＡＮ部６４は、アンテナ８８を介して受信した前記範囲内作業情報を携帯端末本体部６０に出力する。
【００８８】
携帯端末本体部６０は、範囲内作業情報をメモリ７２に格納し（ステップＳ２０）、ＣＰＵ７０は、格納された前記範囲内作業情報を情報表示部６８に表示する（ステップＳ２１）。
【００８９】
ステップＳ１７において、前記範囲内作業情報の情報源が情報システムサーバ３８内の情報である場合、情報システムサーバ３８は、図示しないメモリから範囲内作業情報を抽出し（ステップＳ２２）、抽出した前記範囲内作業情報をハブ３６を介して無線ＬＡＮ装置３４に出力する。そして、情報収集システム１０は、ステップＳ２３の処理後、ステップＳ１９以降の処理を行う。
【００９０】
ステップＳ１６において、情報システムサーバ３８は、前記情報テーブル内を検索しても、入力された前記範囲識別情報に対応する範囲内作業情報を見つけられない場合、すなわち、前記範囲識別情報が割込情報を取得するという内容である場合、インターフェース用ＰＣ４０から既に転送された情報システムサーバ３８内の割込情報を検索し、指示内容に基づいて、検索した割込情報の送信処理を行う（ステップＳ２３）。この場合、情報システムサーバ３８内では、携帯端末１２が所定の範囲内にあっても、ステップＳ１６以降の処理について、割込情報の検索処理が他の処理よりも優先して行われる。
【００９１】
図５は、ステップＳ２３の処理を詳細に示したフローチャートである。
【００９２】
先ず、インターフェース用ＰＣ４０（図１参照）は、Ｉ／Ｆ５８を介して接続されている外部装置を検索する（ステップＳ２４）。次いで、インターフェース用ＰＣ４０は、前記外部装置からＩ／Ｆ５８を介して前記所定の範囲とは異なる場所における情報を取得し、この情報をハブ３６を介して情報システムサーバ３８に転送した後、この情報の一部又は全部を携帯端末１２に送信すべきことを示す割込送信情報を無線装置制御用ＰＣ４２に出力する。
【００９３】
すなわち、インターフェース用ＰＣ４０の図示しないメモリ内には、割込情報となり得る前記外部装置から入力される複数の情報内容に対応して、携帯端末１２に実際に送信される割込情報の内容が格納された割込情報テーブルが設けられている。前記外部装置から取得した情報がインターフェース用ＰＣ４０に入力された場合、該インターフェース用ＰＣ４０は、前記割込情報テーブル内に格納された前記内容と、取得した前記情報とを比較して、取得した前記情報が割込情報となり得る情報であるか否かを判定する（ステップＳ２５）。
【００９４】
ステップＳ２５において、取得した前記情報が割込情報となり得る情報であると判定された場合、インターフェース用ＰＣ４０は、該当する割込情報を情報システムサーバ３８内の割込情報テーブルに転送する（ステップＳ２６）と共に、無線装置制御用ＰＣ４２に対して、携帯端末１２に該割込情報を通知させるための前記割込送信情報を出力する。無線装置制御用ＰＣ４２は、インターフェース用ＰＣ４０から転送された前記割込送信情報に基づいて、情報システムサーバ３８よりハブ３６を介して前記割込情報の一部又は全部を取得し、取得した前記割込情報の一部又は全部を無線装置４６に出力する。無線装置４６は、入力された前記割込情報を無線４４を介して携帯端末１２（図１及び図２参照）に送信し（ステップ２７）、携帯端末１２のセンサ部７８は、受信した前記割込情報を携帯端末本体部６０に出力する（図４のステップＳ２０）。ＣＰＵ７０は、入力された前記割込情報を処理し、あるいは情報表示部６８に表示し、さらに、音声出力部７７を介してアラーム音を出力する（ステップＳ２１）。
【００９５】
図５のステップＳ２５において、取得した前記情報が割込情報となり得ない情報であると判定された場合、あるいは、外部装置からＩ／Ｆ５８（図１参照）を介して何らかの情報が取得できない場合、無線装置制御用ＰＣ４２は、携帯端末１２に対して割込情報の送信処理を行わない。
【００９６】
次に、本実施形態に係る情報収集システム１０及び携帯端末１２の具体例について、図６〜図１０を参照しながら説明する。
【００９７】
この具体例は、図６に示すように、病院内において、携帯者としての介護担当者９０が携帯端末１２を携帯し、介護担当者９０が、病室内のベッド９２上に横たわっている対象者としての介護対象者９４に対して、携帯端末１２の情報表示部６８での表示内容に基づき介護行為を実施するというものである。
【００９８】
ここでは、ベッド９２が配置されている床下にループアンテナ２６及び誘導無線装置３０が埋設され、上方から床面を見た場合、ループアンテナ２６のループ内にベッド９２が配置されているものとする。
【００９９】
また、介護対象者９４の腕には、該介護対象者９４を識別するための介護対象者識別情報（対象者識別情報）が付与されたＲＦＩＤタグ９６を備えたリストバンドが取り付けられている。
【０１００】
さらに、この具体例において、範囲識別情報発信装置１４（赤外線装置２０ａ、２０ｂ及び誘導無線装置３０）から発信される範囲識別情報は、図７に示す４桁の数字から構成された６種類の識別番号（ＩＤ）であり、図７には、これらの識別番号が範囲識別情報発信装置１４から発信される時間帯と、前記各識別番号に対応する携帯端末１２の処理内容が記載されている。
【０１０１】
次に、情報収集システム１０及び携帯端末１２の具体例に係る処理内容について、図８〜図１０のフローチャートを参照しながら説明する。
【０１０２】
先ず、携帯端末１２（図１、図２及び図６参照）を携帯した介護担当者９０が病室の入口付近に立つと、携帯端末１２の時計部８０は現在時刻を計時し（図８のステップＳ１）、次いで、センサ部７８は各センサをスキャンさせ（ステップＳ２）、赤外線装置２０ａからの赤外線１８ａを検出できるか否かを判定する（ステップＳ３）。
【０１０３】
ステップＳ３において、センサ部７８が赤外線１８ａを検出できた場合、携帯端末１２は赤外線装置２０ａから範囲識別情報（図７に示す識別番号：１１１１）を取得し（ステップＳ４）、取得した前記範囲識別情報を電源制御部８２に転送する。
【０１０４】
ステップＳ３において、赤外線装置２０ａが範囲識別情報を間欠的に発信することにより、センサ部７８が前記センサをスキャンさせても赤外線１８ａを検出できなかった場合、時計部８０は前記現在時刻から所定の時間経過したか否かを計時する（ステップＳ９）。
【０１０５】
ステップＳ９において、前記現在時刻から所定の時間経過した場合、携帯端末１２は、割込情報を確認するためにステップＳ５以降の処理を行う。また、予め設定された所定の時間が経過していない場合に、携帯端末１２は、ステップＳ１０の処理を行う。なお、ステップＳ９において、携帯端末本体部６０に電源が投入されていない場合でも、携帯端末１２は、予め設定された所定の時間を経過していなければ、ステップＳ１０の処理を行う。
【０１０６】
センサ部７８が赤外線１８ａを検出できなかった場合、時計部８０は所定の時刻になったか否かを計時する（ステップＳ１０）。
【０１０７】
ステップＳ１０において、前記所定の時刻となった場合、携帯端末１２は、割込情報を確認するためにステップＳ５以降の処理を行う。しかしながら、携帯端末本体部６０に電源が投入されていない場合でも、携帯端末１２は、前記所定の時刻となった際には、ステップＳ１の処理を再度実行する。
【０１０８】
次いで、電源制御部８２は、転送された前記範囲識別情報が、電源部６６から携帯端末本体部６０及び無線ＬＡＮ部６４への電力供給を開始させる内容であるか否かを判定する（ステップＳ５）。
【０１０９】
前記範囲識別情報（識別番号：１１１１）は電力供給を開始させる内容（電源ＯＮ）であるので（図７参照）、電源制御部８２は、スイッチ８６が閉じるように該スイッチ８６を制御する。これにより、電源８４から携帯端末本体部６０及び無線ＬＡＮ部６４への電力供給が開始され（ステップＳ１１）、携帯端末１２の全体が使用可能な状態に至る。
【０１１０】
次いで、介護担当者９０が入口から病室内に入室すると、時計部８０は現在時刻を計時し（ステップＳ１）、センサ部７８は各センサをスキャンさせて（ステップＳ２）、ループアンテナ２６からの誘導無線２８が検出できるか否かを判定する（ステップＳ３）。この場合、介護担当者９０がベッド９２に近づいてループアンテナ２６のループ内に入ると、センサ部７８は、誘導無線２８を検出し、携帯端末１２は誘導無線装置３０から範囲識別情報（図７に示す識別番号：３３３３）を取得して（ステップＳ４）、取得した前記範囲識別情報を電源制御部８２に転送する。
【０１１１】
なお、ステップＳ３において、誘導無線２８を間欠的に発信するループアンテナ２６のループ内に介護担当者９０が入ると、センサ部７８が前記センサをスキャンさせて該誘導無線２８を検出し、前記範囲識別情報を受信する（ステップＳ４）。
【０１１２】
ステップＳ９において、前記現在時刻から所定の時刻が経過した場合、携帯端末１２は、割込情報を確認するためにステップＳ５以降の処理を実行する。また、予め設定された所定の時間が経過していない場合、携帯端末１２は、ステップＳ１０の処理を実行する。
【０１１３】
ステップＳ１０において、前記所定の時刻となった場合、携帯端末１２は、割込情報を確認するためにステップＳ５以降の処理を実行する。また、前記所定の時刻になっていない場合、携帯端末１２は、ステップＳ１の処理を再度実行する。
【０１１４】
次いで、電源制御部８２は、転送された前記範囲識別情報（識別番号：３３３３）が、電源部６６から携帯端末本体部６０及び無線ＬＡＮ部６４への電力供給を開始させる内容であるか否かを判定する（ステップＳ５）。
【０１１５】
ステップＳ５において、前記範囲識別情報（識別番号：３３３３）は電力供給を開始させる内容（識別番号：１１１１、電源ＯＮ）ではないので（図７参照）、電源制御部８２は、転送された前記範囲識別情報（識別番号：３３３３）が、電源部６６から携帯端末本体部６０及び無線ＬＡＮ部６４への電力供給を停止させる内容であるか否かを判定する（ステップＳ６）。前記範囲識別情報（識別番号：３３３３）は電力供給を停止させる内容（識別番号：９９９９、電源ＯＦＦ）でもないので（図７参照）、電源制御部８２は、前記範囲識別情報を携帯端末本体部６０に出力する。携帯端末本体部６０のＣＰＵ７０は、入力された前記範囲識別情報（識別番号：３３３３）をメモリ７２に記憶すると共に、前記範囲識別情報が携帯端末１２の内部で処理できる内容であるか否かを判定する（ステップＳ７）。
【０１１６】
前記範囲識別情報（識別番号：３３３３）には、ＲＦＩＤタグ９６から介護対象者識別情報（識別番号：１２３４５６７８９）を読み取る内容が含まれているので（図７参照）、ＣＰＵ７０は、読取処理が携帯端末１２内で行う処理であるものと判断し、ＲＦＩＤタグ９６からＲＦＩＤ読取部７６を介して介護対象者識別情報を読み込み、読み込んだ前記介護対象者識別情報をメモリ７２内に記憶させると共に、記憶された前記介護対象者識別情報の内容を情報表示部６８に表示する（ステップＳ１３）。この場合、前記介護対象者識別情報（識別番号：１２３４５６７８９）は、介護対象者９４の属性情報（氏名等）や介護履歴が表示される。
【０１１７】
この場合、誘導無線２８からの範囲識別情報が介護対象者９４の個人番号（１２３４５６７８９）であれば、該介護対象者９４はリストバンドの着用が不要となるように思われる。しかしながら、携帯端末１２が前記個人番号に基づいて範囲内作業情報の取得処理を行おうとすれば、ベッド９２に介護対象者９４が居なくても携帯端末１２が範囲内作業情報の取得処理を行ったり、あるいはベッド９２に寝ている人が介護対象者９４ではないのに携帯端末１２が該介護対象者９４に関する範囲内作業情報の取得処理を行う場合も想定される。
【０１１８】
そこで、範囲内作業情報の取得に先立って、ベッド９２に寝ている人が該介護対象者９４であるか否かを確認するために、携帯端末１２は、範囲識別情報（識別番号３３３３）の受信をトリガにして、前述した前記介護対象者識別情報（識別番号：１２３４５６７８９）の読み取りを行う。
【０１１９】
次いで、ＣＰＵ７０（図２参照）は、メモリ７２内に記憶された範囲識別情報（識別番号：３３３３）、介護対象者識別情報（識別番号：１２３４５６７８９）及び携帯端末識別情報（７６５４）を無線ＬＡＮ部６４に出力する。無線ＬＡＮ部６４は、入力された前記範囲識別情報、介護対象者識別情報及び携帯端末識別情報をアンテナ８８から無線３２（図１及び図２参照）を介して無線ＬＡＮ装置３４に送信する（図９のステップＳ１４）。
【０１２０】
無線ＬＡＮ装置３４は、前記範囲識別情報、介護対象者識別情報及び携帯端末識別情報を受信し（ステップＳ１５）、ハブ３６を介して情報システムサーバ３８に出力する。
【０１２１】
情報システムサーバ３８は、入力された前記範囲識別情報（識別番号：３３３３）に対応する範囲内作業情報を前記情報テーブル内から検索する（ステップＳ１６）。この場合、前記識別番号（３３３３）に対応する処理内容は、介護対象者９４に対する介護内容を含む個人情報を管理センタ１６から携帯端末１２に送信するというものであるから（図７参照）、情報システムサーバ３８は、介護対象者識別情報（識別番号：１２３４５６７８９）及びこれらの情報を携帯端末１２から受信した時間に基づいて、前記個人情報がＷｅｂ上の情報であるか否かを判定する（ステップＳ１７）。
【０１２２】
ここで、前記個人情報には、介護対象者９４（図６参照）の属性情報（氏名、性別等）や、これから行うべき介護実施内容（オムツを替える、食事の世話等）が含まれている。
【０１２３】
ステップＳ１７において、前記個人情報の情報源がＷｅｂ上である場合、情報システムサーバ３８は、Ｗｅｂサーバ等の情報源からインターネット網５０を介して前記個人情報を収集し（ステップＳ１８）、収集した前記個人情報を範囲内作業情報としてハブ３６を介して無線ＬＡＮ装置３４に出力する。
【０１２４】
無線ＬＡＮ装置３４は、入力された前記範囲内作業情報を無線３２を介して携帯端末１２に送信し（ステップＳ１９）、携帯端末１２の無線ＬＡＮ部６４は、アンテナ８８を介して受信した前記範囲内作業情報を携帯端末本体部６０に出力し、ＣＰＵ７０は、入力された前記範囲内作業情報を情報表示部６８に表示する（ステップＳ２１）。介護担当者９０は、情報表示部６８の表示内容に基づいて介護対象者９４に対する介護行為を実施する。
【０１２５】
なお、ステップＳ１７において、前記個人情報の情報源が情報システムサーバ３８内の情報である場合、情報システムサーバ３８は、図示しないメモリから対応する個人情報を抽出し（ステップＳ２２）、抽出した前記個人情報を範囲内作業情報をハブ３６を介して無線ＬＡＮ装置３４に出力する。そして、情報収集システム１０は、ステップＳ２３の処理後、ステップＳ１９以降の処理を行う。
【０１２６】
次いで、介護対象者９４に対する介護行為を実施した介護担当者９０は、ベッド９２から離れて病室の出口に向かう。その際、介護担当者９０が病室の出口付近に立つと、携帯端末１２の時計部８０は現在時刻を計時し（図８のステップＳ１）、次いで、センサ部７８は各センサをスキャンさせ（ステップＳ２）、赤外線装置２０ｂからの赤外線１８ｂを検知できるか否かを判定する（ステップＳ３）。
【０１２７】
ステップＳ３において、センサ部７８が赤外線１８ｂを検知できた場合、携帯端末１２は赤外線装置２０ｂから範囲識別情報（識別番号：９９９９）を取得し（ステップＳ４）、取得した前記範囲識別情報を電源制御部８２に転送する。
【０１２８】
ステップＳ３において、赤外線装置２０ｂが範囲識別情報を間欠的に発信することにより、センサ部７８が前記センサをスキャンさせても赤外線１８ｂを検出できなかった場合、時計部８０は前記現在時刻から所定の時間経過したか否かを計時する（ステップＳ９）。前記現在時刻から所定の時間経過していない場合、あるいは、予め設定された所定の時間が経過していない場合、携帯端末１２は、ステップＳ１０の処理を実行する。また、所定の時間が経過している場合、携帯端末１２は、割込情報を確認するためにステップＳ５以降の処理を実行する。なお、携帯端末本体部６０に電源が投入されていない場合でも、携帯端末１２は、所定の時間を経過していれば、ステップＳ１０の処理を実行する。
【０１２９】
ステップＳ９において、センサ部７８が赤外線１８ｂを検出できなかった場合、時計部８０は所定の時刻になったか否かを計時する（ステップＳ１０）。前記所定の時刻となった場合、携帯端末１２は、割込情報を確認するためにステップＳ５の処理を実行する。また、ステップＳ１０において、携帯端末本体部６０に電源が投入されていない場合でも、携帯端末１２は、前記所定の時刻になっていれば、ステップＳ１の処理を再度実行する。
【０１３０】
次いで、電源制御部８２は、転送された前記範囲識別情報が、電源部６６から携帯端末本体部６０及び無線ＬＡＮ部６４への電力供給を開始させる内容であるか否かを判定する（ステップＳ５）。
【０１３１】
前記範囲識別情報（識別番号：９９９９）は介護担当者９０が介護対象者９４に対して行った介護行為を管理センタ１６に報告してから電力供給を停止させるというものであるから（図７参照）、電源制御部８２は、ステップＳ５〜Ｓ７の判定処理を行った後に、前記範囲識別情報を携帯端末本体部６０に出力する。
【０１３２】
携帯端末本体部６０のＣＰＵ７０は、入力された前記範囲識別情報（識別番号：９９９９）をメモリ７２に記憶すると共に、前記範囲識別情報が携帯端末１２の内部で処理できる内容であるか否かを判定する（ステップＳ７）。
【０１３３】
前記範囲識別情報には、介護担当者９０が介護対象者９４に対して行った介護行為を管理センタ１６に報告する内容が含まれているので（図７参照）、ＣＰＵ７０は、報告を促す処理が携帯端末１２内で行う処理であるものと判断し、メモリ７２内に記憶された前記範囲識別情報の示す内容（介護行為内容の報告）を情報表示部６８に表示させる。
【０１３４】
介護担当者９０は、情報表示部６８の表示内容により、自己の行った介護行為内容を管理センタ１６に報告すべきことを認識し、操作入力部７５を操作して前記介護行為内容を携帯端末１２に入力する。
【０１３５】
ＣＰＵ７０は、操作入力部７５から入力された前記介護行為内容を行為内容情報として無線ＬＡＮ部６４に出力すると共に、メモリ７２内に記憶された携帯端末識別情報及び介護対象者識別情報も無線ＬＡＮ部６４に出力する。無線ＬＡＮ部６４は、入力された前記行為内容情報、介護対象者識別情報及び携帯端末識別情報をアンテナ８８から無線３２（図１及び図２参照）を介して無線ＬＡＮ装置３４に送信する（図９のステップＳ１４）。無線ＬＡＮ装置３４は、前記行為内容情報、介護対象者識別情報及び携帯端末識別情報を受信し（ステップＳ１５）、ハブ３６を介して情報システムサーバ３８に出力する。
【０１３６】
情報システムサーバ３８では、入力された前記行為内容情報、介護対象者識別情報及び携帯端末識別情報を始め、範囲識別情報や範囲内作業情報を、インターネット網５０を介して介護担当者９０の関係者又は介護対象者９４の親族等が所有している携帯電話機５２、ＰＣ５４及びＰＤＡ５６に配信することも可能である。一方、上述した行為内容情報、介護対象者識別情報、携帯端末識別情報、範囲識別情報及び範囲内作業情報は、携帯端末１２も有しているので、該携帯端末１２では、無線ＬＡＮ部６４及びアンテナ８８から無線を介して携帯電話機５２、ＰＣ５４及びＰＤＡ５６にこれらの情報を直接配信することが可能である。
【０１３７】
さらに、介護行為内容以外の介護対象者の状況についても、携帯端末１２は、介護担当者９０が操作入力部７５を介して該携帯端末１２に入力された内容を行為内容情報の一部として管理センタ１６や、介護担当者９０の関係者、介護対象者９４の親族、又は外部の関係者等が所有している携帯電話機５２、ＰＣ５４及びＰＤＡ５６に送信可能である。また、携帯端末１２は、前記行為内容情報の一部を管理センタ１６に送信し、該管理センタ１６の情報システムサーバ３８からインターネット網５０を介して前述した携帯電話機５２、ＰＣ５４及びＰＤＡ５６に、前記介護対象者の状況を配信可能である。
【０１３８】
さらにまた、操作入力部７５及び情報表示部６８が、一体化されたタッチパネルである場合、前記タッチパネルを操作して終了した介護行為の項目を介護担当者９０によりチェックしてもらうようにしてもよい。
【０１３９】
さらにまた、介護担当者９０が、介護行為を実施した直後に情報表示部６８を見ながら操作入力部７５を操作して、実施した前記介護行為の項目をチェックし、携帯端末１２が、チェックされた前記項目の内容を管理センタ１６に送信してもよい。この結果、携帯端末１２が赤外線１８ｂを検出して介護行為の項目を情報表示部６８に表示し、介護行為を実施した介護担当者９０が前記項目をチェックする操作を省略することができる。
【０１４０】
次いで、ＣＰＵ７０は、携帯端末本体部６０及び無線ＬＡＮ部６４への電力供給を停止させる指示内容を電源制御部８２に出力する。電源制御部８２は、入力された前記指示内容に基づいて、スイッチ８６が開くように該スイッチ８６を制御する。これにより、電源８４から携帯端末本体部６０及び無線ＬＡＮ部６４への電力供給が停止する（ステップＳ１２）。次いで、携帯端末１２を携帯する介護担当者９０は、出口から病室外へ出て行く。
【０１４１】
上述した説明において、介護担当者９０がループアンテナ２６のループ内に居た際に、誘導無線装置３０から誘導無線２８を介して携帯端末１２が受信した範囲識別情報が、割込情報を取得してアラーム音を発生させるという内容であった場合（図７参照）、図８のステップＳ１３で、ＣＰＵ７０（図２参照）は、電源制御部８２から入力された範囲識別情報（図７に示す識別番号：６２５４）をメモリ７２に記憶させると共に、メモリ７２内に記憶された前記範囲識別情報及び前記携帯端末識別情報を無線ＬＡＮ部６４に出力させる。無線ＬＡＮ部６４は、入力された前記範囲識別情報及び前記携帯端末識別情報をアンテナ８８から無線３２（図１及び図２参照）を介して無線ＬＡＮ装置３４に送信する（図９のステップＳ１４）。
【０１４２】
無線ＬＡＮ装置３４は、前記範囲識別情報、介護対象者識別情報及び携帯端末識別情報を受信し（ステップＳ１５）、ハブ３６を介して情報システムサーバ３８に出力する。情報システムサーバ３８は、入力された前記範囲識別情報（識別番号：６２５４）に対応する範囲内作業情報を前記情報テーブル内から検索する（ステップＳ１６）。
【０１４３】
ステップＳ１６において、情報システムサーバ３８は、前記情報テーブル内を検索して、前記範囲識別情報（識別番号：６２５４）が割込情報を取得するという内容であると判定した場合、次いで、情報システムサーバ３８内にある割込情報テーブルを検索し、検索した割込情報の送信処理を行う（ステップＳ２３）。
【０１４４】
この送信処理において、インターフェース用ＰＣ４０は、Ｉ／Ｆ５８を介して接続されている外部装置を検索する（図１０のステップＳ２４）。次いで、インターフェース用ＰＣ４０は、前記外部装置からＩ／Ｆ５８を介して前記所定の範囲とは異なる場所における情報、すなわち、介護担当者９０が介護行為を実施している最中に別の病室のベッドで呼出ボタンが押された、介護担当者９０の詰所で該介護担当者９０に対して電話がかかってきた等の前記介護行為とは無関係の情報を取得し、このような情報をハブ３６を介して情報システムサーバ３８に転送し、さらに、ハブ３６を介して無線装置制御用ＰＣ４２に、該情報を携帯端末１２に送信するための割込送信情報とを転送する。
【０１４５】
この場合、前記外部装置から取得した前記情報がインターフェース用ＰＣ４０に入力された場合、該インターフェース用ＰＣ４０は、前記割込情報テーブル内に格納された内容と、取得した前記情報とを比較して、取得した前記情報が割込情報となり得る情報であるか否かを判定する（ステップＳ２５）。
【０１４６】
ステップＳ２５において、取得した前記情報が割込情報となり得る情報であると判定された場合、インターフェース用ＰＣ４０は、取得した前記情報を前記範囲内作業情報に対して割り込むべき情報であると判断し、携帯端末１２に実際に送信される割込情報の内容を、これまでの内容から前記割り込むべき情報に変更する（ステップＳ２６）と共に、前記割込情報テーブルに格納された前記割り込むべき情報を携帯端末１２に通知して前記割込情報を取得させるために、該割込情報の一部又は全部をハブ３６及び無線装置制御用ＰＣ４２を介して無線装置４６に出力する。無線装置４６は、入力された前記割込情報を無線４４を介して携帯端末１２に送信し（ステップＳ２７）、携帯端末１２のセンサ部７８は、受信した前記割込情報を携帯端末本体部６０に出力する。
【０１４７】
携帯端末本体部６０のＣＰＵ７０は、入力された前記割込情報が携帯端末１２内部で処理できる内容であると判定した場合、前記割込情報を処理して情報表示部６８に表示し、音声出力部７７を介してアラーム音を出力したり、あるいはこれまで出力されているアラーム音を停止させる処理を行う（ステップＳ２１）。一方、ＣＰＵ７０は、入力された前記割込情報が管理センタ１６から新たに情報を取得するという内容であった場合、無線３２及び無線ＬＡＮ装置３４を介して情報システムサーバ３８から処理内容を取得する（図８のステップＳ２）。
【０１４８】
また、上述した説明において、介護担当者９０がループアンテナ２６のループ内に居た際に、誘導無線装置３０から誘導無線２８を介して携帯端末１２が受信した範囲識別情報が、携帯端末１２のメンテナンス会社のホームページアドレスを表示させるという内容であった場合（図７参照）、ステップＳ１３で、ＣＰＵ７０は、電源制御部８２から入力された範囲識別情報（識別番号：１５８９）をメモリ７２に記憶させると共に、メモリ７２内に記憶された前記範囲識別情報及び前記携帯端末識別情報を無線ＬＡＮ部６４に出力させる。無線ＬＡＮ部６４は、入力された前記範囲識別情報及び前記携帯端末識別情報をアンテナ８８から無線３２（図１及び図２参照）を介して無線ＬＡＮ装置３４に送信する（図９のステップＳ１４）。
【０１４９】
無線ＬＡＮ装置３４は、前記範囲識別情報、介護対象者識別情報及び携帯端末識別情報を受信し（ステップＳ１５）、ハブ３６を介して情報システムサーバ３８に出力する。情報システムサーバ３８は、入力された前記範囲識別情報（識別番号：１５８９）に対応する範囲内作業情報を前記情報テーブル内から検索する（ステップＳ１６）。
【０１５０】
ステップＳ１６において、情報システムサーバ３８は、前記情報テーブル内を検索して、前記範囲識別情報（識別番号：１５８９）がメンテナンス会社のホームページアドレスを表示する内容であると判定した場合、ホームページアドレスの情報源が該情報システムサーバ内の情報であるか、又はＷｅｂ上の情報であるかを判定する（ステップＳ１７）。
【０１５１】
ステップＳ１７において、前記範囲内作業情報の情報源がＷｅｂ上の情報である場合、情報システムサーバ３８は、Ｗｅｂサーバ等の情報源からインターネット網５０を介して前記ホームページアドレスの情報を収集し（ステップＳ１８）、収集した前記情報をハブ３６を介して無線ＬＡＮ装置３４に出力する。
【０１５２】
無線ＬＡＮ装置３４は、入力された前記情報を無線３２を介して携帯端末１２に送信し（ステップＳ１９）、携帯端末１２の無線ＬＡＮ部６４は、アンテナ８８を介して受信した前記情報を携帯端末本体部６０に出力する。
【０１５３】
ＣＰＵ７０は、入力された前記情報に対応する処理内容を前記処理内容テーブルから検索し（ステップＳ２０）、検索した処理内容に基づいて、入力された前記情報の示すホームページを情報表示部６８に表示する（ステップＳ２１）。
【０１５４】
ステップＳ１７において、前記ホームページアドレスの情報源が情報システムサーバ３８内の情報である場合、情報システムサーバ３８は、図示しないメモリから前記ホームページアドレスの情報を抽出し（ステップＳ２２）、抽出した前記情報をハブ３６を介して無線ＬＡＮ装置３４に出力する。そして、情報収集システム１０は、ステップＳ２３の処理後、ステップＳ１９以降の処理を行う。
【０１５５】
なお、上述した具体例では、携帯端末１２は、誘導無線装置３０から誘導無線２８を介して介護対象者識別情報を受信しているが、図示しない赤外線装置をベッド９２の近傍に配置し、赤外線を介して前記介護対象者識別情報を受信するようにしてもよい。また、携帯端末１２は、赤外線装置２０ａ、２０ｂから赤外線１８ａ、１８ｂを介して範囲識別情報を受信するようにしているが、図示しない誘導無線装置及びループアンテナを病室の入口付近及び出口付近に配置して、誘導無線を介して前記範囲識別情報を受信するようにしてもよい。
【０１５６】
このように、本実施形態に係る情報収集システム１０は、携帯端末１２と、範囲識別情報発信装置１４と、管理センタ１６とから構成され、該携帯端末１２が所定の範囲に入ったとき、前記所定の範囲内にある場合で且つ現在時刻から所定の時間経過したとき、若しくは前記所定の範囲内にある場合で且つ所定の時刻となったときに、範囲識別情報受信部６２は、範囲識別情報発信装置１４から発信された範囲識別情報を自動的に受信して携帯端末本体部６０に出力し、携帯端末本体部６０は、入力された前記範囲識別情報とメモリ７２内に記憶された携帯端末識別情報とを無線ＬＡＮ部（情報送受信部）６４に各々出力し、無線ＬＡＮ部６４は、入力された前記範囲識別情報及び前記携帯端末識別情報を管理センタ１６に自動的に各々送信し、且つ該管理センタ１６より前記範囲識別情報及び前記携帯端末識別情報に対応する範囲内作業情報を自動的に受信して携帯端末本体部６０に出力する。また、情報収集システム１０では、携帯端末１２が、前記範囲識別情報を受信できない場合でも、所定の時刻若しくは時間を計時したときに、範囲識別情報受信部６２は、計時した時間情報を携帯端末本体部６０に出力し、携帯端末本体部６０は、入力された前記時間情報と前記携帯端末識別情報とを無線ＬＡＮ部６４に各々出力し、無線ＬＡＮ部６４は、入力された前記時間情報及び前記携帯端末識別情報を管理センタ１６に自動的に各々送信する。この結果、携帯端末１２は、該管理センタ１６より前記時間情報及び前記携帯端末識別情報に対応する割込情報を無線３２又は無線４４を介して自動的に受信して携帯端末本体部６０に出力する。
【０１５７】
また、本実施形態に係る携帯端末１２は、所定の範囲に入ったとき、前記所定の範囲内にある場合で且つ所定の時間経過したとき、若しくは前記所定の範囲内にある場合で且つ所定の時刻となったときに、範囲識別情報発信装置１４から発信された前記所定の範囲を識別するための範囲識別情報を受信する携帯端末１２であって、該携帯端末１２は、前記範囲識別情報を受信したとき、受信した前記範囲識別情報と自己の携帯端末識別情報とを管理センタ１６に送信し、該管理センタ１６は、受信した前記範囲識別情報及び前記携帯端末識別情報に基づいて、前記所定の範囲内で携帯端末１２の携帯者が実施すべき作業内容を示す範囲内作業情報を携帯端末１２に送信している。また、携帯端末１２では、前記範囲識別情報を受信できない場合でも、所定の時刻若しくは時間を計時したときに、範囲識別情報受信部６２は、計時した時間情報を携帯端末本体部６０に出力し、携帯端末本体部６０は、入力された前記時間情報と前記携帯端末識別情報とを無線ＬＡＮ部６４に各々出力し、無線ＬＡＮ部６４は、入力された前記時間情報及び前記携帯端末識別情報を管理センタ１６に自動的に各々送信する。この結果、携帯端末１２は、該管理センタ１６より前記時間情報及び前記携帯端末識別情報に対応する割込情報を無線３２又は無線４４を介して自動的に受信して携帯端末本体部６０に出力する。
【０１５８】
従って、携帯端末１２は、携帯者が操作することなく、すなわち、無操作で前記所定の範囲内に関する前記範囲識別情報や前記範囲内作業情報や前記割込情報を収集することができる。
【０１５９】
また、携帯端末１２は、前記所定の範囲に入ったとき、前記所定の範囲内にある場合で且つ前記現在時刻から所定の時間経過したとき、若しくは前記所定の範囲内にある場合で且つ所定の時刻となったときにのみ、前記所定の範囲内に関する前記範囲識別情報や前記範囲内作業情報や前記割込情報を収集し、又は、所定の時刻若しくは時間を計時したときにのみ、前記割込情報を収集するので、該携帯端末１２は、前記所定の範囲に関する最新の範囲識別情報や範囲内作業情報や割込情報を取得することが可能となる。
【０１６０】
さらに、無線ＬＡＮ部６４から管理センタ１６に前記範囲識別情報及び前記携帯端末識別情報を送信することにより、該管理センタ１６では、前記携帯端末識別情報に基づいて、携帯端末１２の移動履歴や動線を得ることが可能になると共に、該携帯端末１２が経由しなかった場所を特定することも可能となる。すなわち、詰所から出た携帯者が、範囲内作業情報に基づく一連の行為を終えて前記詰所に戻ってくる場合、前記携帯者の携帯端末１２の移動履歴を参照することで、該携帯者の移動履歴が分かる。また、前記移動履歴に基づいて前記携帯者が前記所定の範囲に立ち寄っていない場合には、該携帯者に注意を促すことも可能である。
【０１６１】
さらにまた、携帯端末１２から管理センタ１６に前記範囲識別情報又は前記時間情報や前記携帯端末識別情報が各々送信され、該管理センタ１６の情報システムサーバ３８には携帯端末１２に送信すべき前記範囲内作業情報や前記割込情報が蓄積されているので、これらの情報の全て又は一部を、情報システムサーバ３８からインターネット網５０を介して接続された携帯電話機５２、ＰＣ５４、ＰＤＡ５６に配信したり、あるいは携帯端末１２から携帯電話機５２、ＰＣ５４、ＰＤＡ５６に直接送信することも可能となる。
【０１６２】
この場合、情報システムサーバ３８は、これらの情報の全て又は一部をそのまま、あるいはメールの形式で配信する。一方、携帯端末１２から配信する場合、該携帯端末１２は、前述した情報の全て又は一部の内容を情報表示部６８に一旦表示させて携帯者に確認させた後に、前記携帯者が操作入力部７５を操作することにより、前記情報の全て又は一部を携帯電話機５２、ＰＣ５４、ＰＤＡ５６に配信し、あるいは前記情報の全て又は一部をメールの形式にて配信する。
【０１６３】
また、前記所定の範囲内には、携帯端末１２の携帯者である介護担当者９０の担当する介護対象者９４が居り、介護対象者９４には、該介護対象者９４を識別する介護対象者識別情報が付与されたＲＦＩＤタグ（介護対象者識別装置）９６を備えたリストバンドが取り付けられ、携帯端末１２は、範囲識別情報受信部６２と携帯端末本体部６０と無線ＬＡＮ部（情報送受信部）６４とを備え、携帯端末本体部６０は、ＣＰＵ（携帯端末制御部）７０と、前記携帯端末識別情報が記憶されたメモリ（識別情報記憶部）７２と、前記介護対象者識別情報を読み取るＲＦＩＤ読取部（対象者識別情報読取部）７６とを有し、ＣＰＵ７０は、前記範囲識別情報が前記介護対象者識別情報を読み取る内容であった場合、ＲＦＩＤタグ９６からＲＦＩＤ読取部７６を介して前記介護対象者識別情報を読み取り、読み取った前記介護対象者識別情報と、前記範囲識別情報とをメモリ７２に記憶させ、記憶された前記範囲識別情報と前記介護対象者識別情報と前記携帯端末識別情報とを無線ＬＡＮ部６４に各々出力し、該無線ＬＡＮ部６４は、入力された前記範囲識別情報と前記介護対象者識別情報と前記携帯端末識別情報とを管理センタ１６に各々送信し、該管理センタ１６は、受信した前記範囲識別情報、前記介護対象者識別情報及び前記携帯端末識別情報に基づいて、前記所定の範囲内で介護担当者９０が介護対象者９４に対して実施すべき介護実施内容を含む前記範囲内作業情報を無線ＬＡＮ部６４に送信している。
【０１６４】
この場合、携帯端末本体部６０のＣＰＵ７０は、前記範囲識別情報に基づいて、ＲＦＩＤタグ９６からＲＦＩＤ読取部７６を介して介護対象者識別情報を読み取り、読み取った前記介護対象者識別情報と前記範囲識別情報とをメモリ７２に各々記憶させると共に、記憶された前記範囲識別情報と前記介護対象者識別情報と前記携帯端末識別情報とを無線ＬＡＮ部６４に各々出力し、該無線ＬＡＮ部６４は、入力された前記範囲識別情報と前記介護対象者識別情報と前記携帯端末識別情報とを管理センタ１６に各々送信し、介護担当者９０が介護対象者９４に対して実施すべき介護実施内容を含む範囲内作業情報を該管理センタ１６から取得する。
【０１６５】
これにより、携帯端末１２は、介護担当者９０が操作することなく、すなわち、無操作で前記介護対象者識別情報を読み取り、且つ前記範囲内作業情報を収集することができるので、該介護担当者９０の作業負担を軽減することができる。また、メモリ７２は前記範囲内作業情報を記憶しないので、携帯端末１２は、前記範囲内作業情報をリアルタイムで管理センタ１６から取得することができる。従って、介護担当者９０は、介護対象者９４に対して的確な介護行為を実施することができる。
【０１６６】
また、従来、介護担当者９０が前記所定の範囲内で前記範囲内作業情報に基づく介護を行っている場合、別の場所において前記携帯者が行うべき行為の追加、中止、変更の指示があったり、前記別の場所における他の介護対象者からの呼び出しがあったり、前記所定の範囲とは異なる場所で発生する環境の変化があっても、前記所定の範囲内で介護を行っている介護担当者９０は、前記所定の範囲内での介護行為とは無関係のこれらの情報を知るすべはなかった。
【０１６７】
そこで、管理センタ１６が、前記所定の範囲とは異なる場所に関する情報を前記所定の範囲内で実施する必要のない割込情報としてセンサ部７８に送信し、該センサ部７８が、受信した前記割込情報を携帯端末本体部６０に出力することにより、前記携帯端末は、前記所定の範囲内に配置されていても、前記所定の範囲とは異なる場所での事象等の情報を前記割込情報として取得することで、前記異なる場所の情報を把握することができる。
【０１６８】
ここで、範囲識別情報受信部６２は時計部８０を備え、該範囲識別情報受信部６２が、前記所定の時間経過又は前記所定の時刻を時計部８０で計時した場合、範囲識別情報発信装置１４から前記範囲識別情報を受信して携帯端末本体部６０に出力することにより、携帯端末１２は、前記範囲識別情報や前記範囲内作業情報に関する最新情報をリアルタイムで取得することができる。また、携帯端末１２は、所定の場所及び所定の時間経過又は所定の時刻によって、管理センタ１６から異なる情報源（例えば、Ｗｅｂアドレス）の情報を収集することも可能である。
【０１６９】
また、携帯端末本体部６０は情報表示部６８をさらに備え、該情報表示部６８が、入力された前記範囲内作業情報の示す前記介護実施内容と、記憶された前記介護対象者識別情報とを各々表示することにより、携帯端末１２は、介護対象者９４及び前記介護実施内容をリアルタイムで情報表示部６８に表示させることが可能となり、介護担当者９０は、介護対象者９４に対してより的確な介護行為を実施することが可能となる。
【０１７０】
また、携帯端末本体部６０は音声出力部７７をさらに備え、管理センタ１６は、前記所定の範囲とは異なる場所における前記介護実施内容とは無関係な情報を前記割込情報としてセンサ部７８に送信し、該センサ部７８は、受信した前記割込情報を携帯端末本体部６０に出力し、ＣＰＵ７０は、入力された前記割込情報に基づいて音声出力部７７から音声を出力させるか、及び情報表示部６８に前記割込情報を表示させるかの少なくとも１つを実行する。これにより、介護担当者９０は、音声出力部７７からの音声（アラーム音）に基づいて、あるいは情報表示部６８の表示内容に基づいて、前記所定の場所とは異なる場所における前記介護実施内容とは無関係の情報を容易に把握することができる。
【０１７１】
さらに、携帯端末本体部６０は、操作入力部７５をさらに備え、介護担当者９０は、該操作入力部７５を操作して介護対象者９４に対して実施した介護行為内容を入力し、ＣＰＵ７０は、操作入力部７５を介して入力された前記介護行為内容を示す行為内容情報を無線ＬＡＮ部６４に出力し、該無線ＬＡＮ部６４は、入力された前記行為内容情報を管理センタ１６に送信する。これにより、管理センタ１６では、携帯端末１２を携帯する介護担当者９０が介護対象者９４に対して実施した介護行為内容を正確に把握することが可能となる。
【０１７２】
また、携帯端末１２は、範囲識別情報受信部６２と携帯端末本体部６０と無線ＬＡＮ部６４とに電力を各々供給する電源部６６をさらに備え、該電源部６６は、範囲識別情報受信部６２に電力を常時供給し、該範囲識別情報受信部６２の電源制御部８２は、前記範囲識別情報が電源部６６から携帯端末本体部６０及び無線ＬＡＮ部６４への電力供給を開始させる内容である場合、電源部６６のスイッチ８６に対して携帯端末本体部６０及び無線ＬＡＮ部６４に電力供給を開始させるように制御する。一方で、範囲識別情報受信部６２は、前記範囲識別情報が携帯端末１２から管理センタ１６への前記行為内容情報の送信後に電源部６６から携帯端末本体部６０及び無線ＬＡＮ部６４への電力供給を停止させる内容である場合、前記行為内容情報の送信後にスイッチ８６に対して携帯端末本体部６０及び無線ＬＡＮ部６４に電力供給を停止させるように制御する。
【０１７３】
これにより、介護担当者９０が介護対象者９４に対して介護を実施する前に、電源部６６から携帯端末本体部６０及び無線ＬＡＮ部６４に電力供給が自動的に開始され、前記行為内容情報の送信後に、電源部６６から携帯端末本体部６０及び無線ＬＡＮ部６４への電力供給が自動的に停止されるので、携帯端末１２の省電力化を容易に実現できる。また、介護担当者９０による電源部６６の操作が不要となるので、該介護担当者９０の作業負担をさらに軽減することが可能となる。
【０１７４】
上述した実施形態では、携帯端末１２が、主として、赤外線１８、１８ａ、１８ｂ及び誘導無線２８を介して範囲識別情報を受信するというものであったが、ＧＰＳを用いて緯度及び経度で所定の範囲を定め、ＧＰＳ衛星から範囲識別情報を受信するようにしてもよいことは勿論である。この場合、携帯端末１２の移動経路を詳細に把握することが可能となる。
【０１７５】
また、携帯端末１２が微弱無線２２を介して範囲識別情報を受信してもよい。さらに、特定の周波数の連続した音を携帯端末１２において数秒間集音することにより範囲識別情報として受信できるようにしてもよい。
【０１７６】
また、携帯端末１２で範囲内作業情報や割込情報を取得するだけでなく、該携帯端末１２に電話の機能やＶｏＩＰ（Voice over Internet Protocol）の機能を持たせて外部装置と通信可能とすることにより、所定の時刻になると携帯端末１２と前記外部装置との間で自動的に通話状態となり、該携帯端末１２の携帯者（介護担当者９０）と、前記外部装置を利用する相手方との間で通話を行って、作業内容（介護行為内容）の報告を行うことも可能となる。
【０１７７】
上述した実施形態では、病院内で介護担当者９０が携帯端末１２を携帯して介護対象者９４に関する介護行為及び医療行為の情報を把握するというものであった。このほかにも、本実施形態に係る情報収集システム１０及び携帯端末１２では、各病室の前に範囲識別情報発信装置１４、無線ＬＡＮ装置３４、無線装置４６を配置して、介護担当者９０が携帯端末１２を携帯して病室に入る際に、該携帯端末１２が前記病室内の介護対象者９４に関する最新情報を範囲識別情報発信装置１４、無線ＬＡＮ装置３４、無線装置４６から取得し、情報表示部６８に表示させるようにしてもよい。さらに、病院内において、前記最新情報を取得できる時間帯を予め設定し、病室単位で介護対象者９４の体温や血圧のデータを入力させる画像を情報表示部６８に表示させたり、あるいは介護対象者９４に対する介護実施内容や服用させる薬等の情報を情報表示部６８に表示させてもよい。
【０１７８】
さらに、上述した実施形態では、主として、病院内で介護担当者９０が携帯端末１２を携帯して介護対象者９４に関する介護行為及び医療行為の情報を把握するというものであった。このほかにも、本実施形態に係る情報収集システム１０及び携帯端末１２は、展示会場、博物館等の自動案内サービスにも適用可能であることは勿論である。
【０１７９】
なお、本発明に係る情報収集システム及び携帯端末は、上述の実施の形態に限らず、本発明の要旨を逸脱することなく、種々の構成を採り得ることは勿論である。
【図面の簡単な説明】
【０１８０】
【図１】本実施形態に係る情報収集システムの構成図である。
【図２】図１の携帯端末内部のブロック図である。
【図３】図１の携帯端末の処理を示すフローチャートである。
【図４】範囲内作業情報の取得処理を示すフローチャートである。
【図５】割込情報の取得処理を示すフローチャートである。
【図６】本実施形態に係る情報収集システムの具体例であって、介護担当者が介護対象者に行う介護実施の内容を示す説明図である。
【図７】範囲識別情報と前記範囲識別情報の取得可能な時間帯と携帯端末の処理内容との対応関係を示す説明図である。
【図８】図６の具体例における携帯端末の処理を示すフローチャートである。
【図９】範囲内作業情報の取得処理を示すフローチャートである。
【図１０】割込情報の取得処理を示すフローチャートである。
【符号の説明】
【０１８１】
１０…情報収集システム                  １２…携帯端末
１４…範囲識別情報発信装置              １６…管理センタ
１８、１８ａ、１８ｂ…赤外線            ２０、２０ａ、２０ｂ…赤外線装置
２２、２８、３２、４４…無線            ２４、３０、４６…無線装置
２６…ループアンテナ                    ３４…無線ＬＡＮ装置
３６…ハブ                              ３８…情報システムサーバ
４０、４２、５４…ＰＣ                  ５０…インターネット網
５２…携帯電話機                        ５６…ＰＤＡ
５８、７４…インターフェース            ６０…携帯端末本体部
６２…範囲識別情報受信部                ６４…無線ＬＡＮ部
６６…電源部                            ６８…情報表示部
７０…ＣＰＵ                            ７２…メモリ
７５…操作入力部                        ７６…ＲＦＩＤ読取部
７７…音声出力部                        ７８…センサ部
８０…時計部                            ８２…電源制御部
８４…電源                              ８６…スイッチ
８８…アンテナ                          ９０…介護担当者
９２…ベッド                            ９４…介護対象者
９６…ＲＦＩＤタグ
【図１】
2006202111.tif 000003
【図２】
2006202111.tif 000004
【図３】
2006202111.tif 000005
【図４】
2006202111.tif 000006
【図５】
2006202111.tif 000007
【図６】
2006202111.tif 000008
【図７】
2006202111.tif 000009
【図８】
2006202111.tif 000010
【図９】
2006202111.tif 000011
【図１０】
2006202111.tif 000012